(57)【要約】【課題】異なる目的や用途に使用した場合にその旨を識別可能とする。【解決手段】ベース基材１０に形成されたアンテナ３０ａ，３０ｂと、一部がベース基材１０上にて表出し、外部からの接触状態による抵抗値の変化を検出するための接触用端子４０ａ，４０ｂと、ベース基材１０に搭載され、接触用端子４０ａ，４０ｂにおける抵抗値を検出し、検出した抵抗値に応じた情報をアンテナ３０ａ，３０ｂを介して送信するＩＣチップ２０とを有する。【選択図】図１
2019070945.tif 000002
【特許請求の範囲】
【請求項１】
ベース基材と、
前記ベース基材に形成されたアンテナと、
少なくとも一部が前記ベース基材上にて表出し、外部からの接触状態による抵抗値の変化を検出するための接触用端子と、
前記ベース基材に搭載され、前記接触用端子における抵抗値を検出し、該検出した抵抗値に応じた情報を前記アンテナを介して送信する回路素子とを有するＲＦＩＤメディア。
【請求項２】
請求項１に記載のＲＦＩＤメディアにおいて、
前記回路素子は、
当該ＲＦＩＤメディアに付与された識別情報を記憶する第１の記憶領域と、
前記検出した抵抗値に応じたフラグ情報を記憶する第２の記憶領域と、
非接触通信時に、前記第１の記憶領域に記憶された識別情報と、前記第２の記憶領域に記憶されたフラグ情報とを前記アンテナを介して送信する制御部とを有し、
前記フラグ情報は、前記接触用端子が外部から接触されている場合と、外部から接触されていない場合とで互いに異なる２つの値を有し、前記２つの値が、前記接触用端子に対する外部からの接触によって可逆的に変化する、ＲＦＩＤメディア。
【発明の詳細な説明】
【技術分野】
【０００１】
本発明は、非接触状態にて情報の書き込みや読み出しが可能なＲＦＩＤメディアに関し、特に、１つのＲＦＩＤメディアを異なる用途等に使用した場合にその旨を識別可能とする技術に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載されたＲＦＩＤメディアがその優れた利便性から急速な普及が進みつつある。
【０００３】
このようなＲＦＩＤメディアにおいては、固有の識別情報となるＩＤが書き込まれており、このＩＤが読み取られることでＲＦＩＤメディアが識別されることになる。そのため、ＲＦＩＤメディアをタグとして商品等に添付しておきＩＤを読み取ることで商品を管理したり、ＲＦＩＤメディアをＩＤカードとして人物に所持させておきＩＤを読み取ることで入退室を管理したりすることができる（例えば、特許文献１参照）。
【先行技術文献】
【特許文献】
【０００４】
【特許文献１】特開２０１５−１４９０８３号公報
【発明の概要】
【発明が解決しようとする課題】
【０００５】
上述したＲＦＩＤメディアにおいては、固有のＩＤが書き込まれているため、例えば入退室管理に用いられた場合に、ＩＤが読み取られることで退室が認識された際、それが帰宅時の退室であるのか一時的な退室であるのかを認識することができない等というように、ＩＤによってＲＦＩＤメディア自体を認識することはできるものの、目的や用途までは認識することができないという問題点がある。
【０００６】
そこで、目的や用途に応じてＩＤを書き換えることが考えられるが、ＩＤはＲＦＩＤメディアに固有のものとして書き込まれており、書き換えは特定の場所でのみ行われるため、目的や用途に応じてＩＤを容易に書き換えることはできず、１つのＲＦＩＤメディアでその目的や用途まで認識することは困難である。
【０００７】
本発明は、上述したような従来の技術が有する問題点に鑑みてなされたものであって、異なる目的や用途に使用した場合にその旨を識別可能とするＲＦＩＤメディアを提供することを目的とする。
【課題を解決するための手段】
【０００８】
上記目的を達成するために本発明は、
ベース基材と、
前記ベース基材に形成されたアンテナと、
少なくとも一部が前記ベース基材上にて表出し、外部からの接触状態による抵抗値の変化を検出するための接触用端子と、
前記ベース基材に搭載され、前記接触用端子における抵抗値を検出し、該検出した抵抗値に応じた情報を前記アンテナを介して送信する回路素子とを有する。
【０００９】
上記のように構成された本発明においては、接触用端子が外部から接触された場合と接触されていない場合とで、接触用端子における抵抗値が異なり、その抵抗値が回路素子にて検出され、検出された抵抗値に応じた情報がアンテナを介して送信される。そのため、識別情報が非接触通信によって読み取られる際に、回路素子にて検出された抵抗値に応じた情報も非接触通信にて読み取られる構成とすることで、目的や用途に応じて接触用端子に接触したり接触しなかったりすれば、異なる目的や用途に使用した場合にその旨が識別可能となる。
【００１０】
例えば、回路素子が、ＲＦＩＤメディアに付与された識別情報を記憶する第１の記憶領域と、接触用端子における抵抗値に応じたフラグ情報を記憶する第２の記憶領域と、非接触通信時に、第１の記憶領域に記憶された識別情報と、第２の記憶領域に記憶されたフラグ情報とをアンテナを介して送信する制御部とを有する構成とすることで、識別情報とともに読み取られたフラグ情報を参照することにより、異なる目的や用途に使用した場合にその旨が識別可能となる。その際、フラグ情報が、接触用端子が外部から接触されている場合と、外部から接触されていない場合とで互いに異なる２つの値を有し、その２つの値が、接触用端子に対する外部からの接触によって可逆的に変化するものであれば、ＲＦＩＤメディアを繰り返し使用することが可能となる。
【発明の効果】
【００１１】
本発明によれば、外部からの接触状態による抵抗値の変化を検出するための接触用端子の少なくとも一部がベース基材上にて表出しており、ベース基材に搭載された回路素子が、接触用端子における抵抗値を検出し、検出した抵抗値に応じた情報がアンテナを介して送信されるため、目的や用途に応じて接触用端子に接触したりしなかったりすることで、検出される接触用端子における抵抗値を変化させ、それにより、異なる目的や用途に使用した場合にその旨が識別可能となる。
【００１２】
また、回路素子が、ＲＦＩＤメディアに付与された識別情報を記憶する第１の記憶領域と、接触用端子における抵抗値に応じたフラグ情報を記憶する第２の記憶領域と、非接触通信時に、第１の記憶領域に記憶された識別情報と、第２の記憶領域に記憶されたフラグ情報とをアンテナを介して送信する制御部とを有する構成とするものにおいては、識別情報とともに読み取られたフラグ情報を参照することにより、異なる目的や用途に使用した場合にその旨が識別可能となる。その際、フラグ情報が、接触用端子が外部から接触されている場合と、外部から接触されていない場合とで互いに異なる２つの値を有し、その２つの値が、接触用端子に対する外部からの接触によって可逆的に変化するものであれば、ＲＦＩＤメディアを繰り返し使用することが可能となる。
【図面の簡単な説明】
【００１３】
【図１】本発明のＲＦＩＤメディアの実施の一形態を示す図であり、（ａ）は表面図、（ｂ）は（ａ）に示したＡ−Ａ’断面図、（ｃ）はインレットシートの表面の構成を示す図である。
【図２】図１に示したＩＣチップの内部構成を示す機能ブロック図である。
【図３】図１および図２に示したＩＤタグの使用状態を示す図である。
【図４】図１および図２に示したＩＤタグにおける具体的な処理を説明するためのフローチャートである。
【発明を実施するための形態】
【００１４】
以下に、本発明の実施の形態について図面を参照して説明する。
【００１５】
図１は、本発明のＲＦＩＤメディアの実施の一形態を示す図であり、（ａ）は表面図、（ｂ）は（ａ）に示したＡ−Ａ’断面図、（ｃ）はインレットシート１２の表面の構成を示す図である。図２は、図１に示したＩＣチップ２０の内部構成を示す機能ブロック図である。
【００１６】
本形態におけるＲＦＩＤメディアは図１に示すように、ベース基材１０と、接触用端子４０ａ，４０ｂと、アンテナ３０ａ，３０ｂと、ＩＣチップ２０とから構成されたＩＤカード１である。
【００１７】
ベース基材１０は、紙や樹脂等の絶縁性材料からなるインレットシート１２が、樹脂等の絶縁性材料からなる２枚のカード基材１１ａ，１１ｂに挟み込まれて構成されている。これらインレットシート１２およびカード基材１１ａ，１１ｂは、その外形が互いに等しいものとなっているが、カード基材１１ａは、その一辺から切り欠かれた切り欠き部１１ｃを有している。
【００１８】
接触用端子４０ａ，４０ｂは、導電性インク等の導電性材料を用いた印刷によって、インレットシート１２のカード基材１１ａとの積層面に一定の間隔を隔てて形成されており、その一部が切り欠き部１１ｃからＩＤカード１の表面に表出している。接触用端子４０ａ，４０ｂは、一定の間隔を隔てて形成されているため、外部から接触されていない場合と外部から接触されている場合とで、接触用端子４０ａ，４０ｂ間の抵抗値が変化する。
【００１９】
アンテナ３０ａ，３０ｂは、導電性インク等の導電性材料を用いた印刷によって、インレットシート１２のカード基材１１ａとの積層面に、空隙を隔てて対向した頂点を給電点として二等辺三角形の形状に形成されている。アンテナ３０ａ，３０ｂは、外部に設けられたリーダから照射された電波に共振することで、非接触通信を行うためのものである。
【００２０】
なお、接触用端子４０ａ，４０ｂおよびアンテナ３０ａ，３０ｂは、印刷によって形成されたものに限らず、ベース基材１０上に積層された銅箔等の不要部分をエッチングによって除去して形成されたものであってもよい。
【００２１】
ＩＣチップ２０は、本願発明の回路素子となるものであって、接触用端子４０ａ，４０ｂおよびアンテナ３０ａ，３０ｂに接続されてインレットシート１２上に搭載されている。なお、ＩＣチップ２０は図２に示すように、通信部２１と、電源生成部２２と、抵抗値検出部２３と、記憶部２４と、制御部２５とを有している。なお、ＩＣチップ２０としては、例えば、ＮＸＰセミコンダクターズ製のＮＴＡＧ  ２１３  ＴＴを用いることが考えられる。
【００２２】
通信部２１は、アンテナ３０ａ，３０ｂを介して送受信される情報の変調や復調を行うことで、外部に設けられたリーダとの間にて非接触通信を可能とする。電源生成部２２は、外部に設けられたリーダから供給された電力を用いてＩＣチップ２０が駆動するための電源を生成する。抵抗値検出部２３は、接触用端子４０ａ，４０ｂ間の抵抗値を検出し、検出した抵抗値に応じたフラグ情報を設定する。記憶部２４は、ＩＣチップ２０が駆動するためのプログラム等を記憶しており、ＩＤカード１に付与された識別情報となるＩＤを記憶した第１の記憶領域となるＩＤ領域２４ａと、抵抗値検出部２３にて設定されたフラグ情報を記憶した第２の記憶領域となる接触フラグ領域２４ｂとを有している。制御部２５は、これら通信部２１、電源生成部２２、抵抗値検出部２３および記憶部２４の動作を制御し、通信部２１を介した非接触通信時に、ＩＤ領域２４ａに記憶されたＩＤと、接触フラグ領域２４ｂに記憶されたフラグ情報とを通信部２１を介して送信する。
【００２３】
以下に、上記のように構成されたＩＤカード１の使用方法について説明する。
【００２４】
図３は、図１および図２に示したＩＤカード１の使用状態を示す図である。
【００２５】
図１および図２に示したＩＤカード１は、ＩＤ領域２４ａに記憶されたＩＤを読み取ることで識別されることになる。ところが、上述したように、ＩＤカード１を異なる目的や用途に使用した場合、ＩＤを読み取るだけでは、その目的や用途まで認識することができない。例えば、ＩＤカード１を入退室管理に用いた場合に、ＩＤが読み取られることで退室が認識された際、ＩＤカード１自体を認識することはできるものの、それが帰宅時の退室であるのか一時的な退室であるのかを認識することができない。
【００２６】
本形態においては、接触用端子４０ａ，４０ｂを設け、この接触用端子４０ａ，４０ｂ間の抵抗値の変化を用いてＩＤカード１の使用目的や用途を認識できるものとしている。上述したように、接触用端子４０ａ，４０ｂは、一定の間隔を隔てて形成されているため、外部から接触されていない場合と外部から接触されている場合とで、接触用端子４０ａ，４０ｂ間の抵抗値が変化する。そこで、例えば、ＩＤカード１を入退室管理に用いた場合に、帰宅時においては、図３（ａ）に示すように、接触用端子４０ａ，４０ｂに指２を接触させない状態でリーダとの間にて非接触通信を行い、また、一時的な退室時においては、図３（ｂ）に示すように、接触用端子４０ａ，４０ｂに指２を接触させた状態でリーダとの間にて非接触通信を行い、ＩＤカード１のＩＤとともに、接触用端子４０ａ，４０ｂにおける抵抗値に応じて設定されたフラグ情報をリーダに送信することにより、ＩＤが読み取られることで退室が認識された際、それが帰宅時の退室であるのか一時的な退室であるのかを認識することができるようになる。
【００２７】
以下に、図１および図２に示したＩＤカード１における具体的な処理について説明する。
【００２８】
図４は、図１および図２に示したＩＤカード１における具体的な処理を説明するためのフローチャートである。
【００２９】
図１および図２に示したＩＤカード１を外部に設けられたリーダに翳すと、まず、リーダから照射される電波によってＩＤカード１に電源が供給される（ステップ１）。
【００３０】
すると、ＩＤカード１においては、リーダから照射された電波がアンテナ３０ａ，３０ｂにて受信され、電源生成部２２において、リーダから供給された電力を用いてＩＣチップ２０が駆動するための電源が生成され、ＩＤカード１が駆動する（ステップ２）。
【００３１】
ＩＤカード１においては、駆動すると、リーダから供給された電力によって駆動したことを示す応答信号が通信部２１を介して送信される（ステップ３）。
【００３２】
また、ＩＤカード１においては、抵抗値検出部２３において、接触用端子４０ａ，４０ｂ間の抵抗値が検出される（ステップ４）。ここで、接触用端子４０ａ，４０ｂ間の抵抗値は、上述したように、図３（ａ）に示したように指２が接触していない状態と、図３（ｂ）に示したように指２が接触した状態とで互いに異なるものとなる。
【００３３】
そこで、ＩＤカード１においては、例えば、接触用端子４０ａ，４０ｂに指２が接触していない状態における抵抗値が検出された場合、制御部２５によって接触フラグ領域２４ｂにフラグ情報として“０”が設定され、また、接触用端子４０ａ，４０ｂに指２が接触した状態における抵抗値が検出された場合、制御部２５によって接触フラグ領域２４ｂにフラグ情報として“１”が設定される（ステップ５）。なお、接触用端子４０ａ，４０ｂに指２が接触していない状態における抵抗値と、接触用端子４０ａ，４０ｂに指２が接触した状態における抵抗値は、それぞれ制御部２５にて基準値として予め設定されており、制御部２５においては、抵抗値検出部２３にて検出された抵抗値がその基準値と比較されることで、フラグ情報を設定することができる。このように、ＩＤカード１においては、駆動する度に接触用端子４０ａ，４０ｂ間の抵抗値が検出され、その抵抗値に応じたフラグ情報が設定されるので、接触用端子４０ａ，４０ｂ間の抵抗値に応じたフラグ情報が可逆的に変化することになり、それにより、ＩＤカード１を繰り返し使用することが可能となる。
【００３４】
ＩＤカード１から送信された応答信号がリーダにて受信されると（ステップ６）、ＩＤとフラグ情報を要求する要求信号がリーダから送信される（ステップ７）。
【００３５】
リーダから送信された要求信号がＩＤカード１のアンテナ３０ａ，３０ｂを介して受信されると（ステップ８）、ＩＤ領域２４ａに記憶されたＩＤと、接触フラグ領域２４ｂに設定されて記憶されたフラグ情報とが制御部２５によって読み出され、通信部２１およびアンテナ３０ａ，３０ｂを介して送信される（ステップ９）。
【００３６】
ＩＤカード１から送信されたＩＤおよびフラグ情報はリーダにて受信され（ステップ１０）、リーダにおいて、受信したＩＤによってＩＤカード１が識別され、受信したフラグ情報によって、ＩＤカード１の使用目的や用途、例えば、ＩＤカード１を入退室管理に用いた場合に、ＩＤが読み取られることで退室が認識された際、それが帰宅時の退室であるのか一時的な退室であるのかを認識することになる（ステップ１１）。
【００３７】
上述したように本形態においては、外部からの接触状態による抵抗値の変化を検出するための接触用端子４０ａ，４０ｂの一部がベース基材１０上にて表出しており、ベース基材１０に搭載されたＩＣチップ３０が、接触用端子４０ａ，４０ｂ間の抵抗値を検出し、検出した抵抗値に応じて設定されたフラグ情報がアンテナ３０ａ，３０ｂを介して送信されるため、目的や用途に応じて接触用端子に接触したりしなかったりすることで、検出される接触用端子４０ａ，４０ｂ間の抵抗値を変化させ、それにより、異なる目的や用途に使用した場合にその旨が識別可能となる。
【００３８】
なお、本形態においては、インレットシート１２に形成された接触用端子４０ａ，４０ｂが、その一部が切り欠き部１１ｃからＩＤカード１の表面に表出しているが、接触用端子４０ａ，４０ｂの全部が表出した構成としてもよい。また、ＩＤカード１の表面ではなく、ＩＤカード１の端面から接触用端子４０ａ，４０ｂが表出してもよいが、その場合、接触用端子４０ａ，４０ｂと指等との接触面積が狭くなるため、指等が接触用端子４０ａ，４０ｂに接触している状態と接触していない状態とで、接触用端子４０ａ，４０ｂ間の抵抗値があまり変化せず、制御部２５におけるフラグ情報の設定判断が困難となる虞がある。
【００３９】
また、本形態においては、接触用端子４０ａ，４０ｂがインレットシート１２の一方の面に形成されているが、それぞれがＩＣチップ２０に接続された構成であれば、接触用端子４０ａ，４０ｂのうち一方をインレットシート１２の一方の面に形成し、他方をインレットシート１２の他方の面に形成した構成としてもよい。
【００４０】
また、本形態においては、カード基材１１ａがその一辺から切り欠かれることで切り欠き部１１ｃが形成され、この切り欠き部１１ｃから接触用端子４０ａ，４０ｂの一部が表出しているが、カード基材１１ａ，１１ｂの一部を円形等にくり抜き、そのくり抜いた部分から接触用端子４０ａ，４０ｂの一部を表出させてもよい。ただ、そのような構成とした場合、製造工程において、くり抜いた部分をバキューム等で吸い取る必要が生じるため、本形態のような切り欠き１１ｃを用いることで、生産性を向上させることができる。
【００４１】
また、本発明は、ＲＦＩＤメディアとして、インレットシート１２が２枚のカード基材に挟み込まれて構成されたベース基材１０を有するＩＤカード１を例に挙げて説明したが、本発明のＲＦＩＤメディアとしては、インレットシートが紙等からなる２枚の表面基材に挟み込まれることでベース基材が構成されたＩＤタグや、インレットシートが表面基材とラベル基材とに挟み込まれることでベース基材が構成されたＩＤラベル等であってもよい。
【符号の説明】
【００４２】
１    ＩＤカード
２    指
１０    ベース基材
１１ａ，１１ｂ    カード基材
１１ｃ    切り欠き部
１２    インレットシート
２０    ＩＣチップ
２１    通信部
２２    電源生成部
２３    抵抗値検出部
２４    記憶部
２４ａ    ＩＤ領域
２４ｂ    接触フラグ領域
２５    制御部
３０ａ，３０ｂ    アンテナ
４０ａ，４０ｂ    接触用端子
【図１】
2019070945.tif 000003
【図２】
2019070945.tif 000004
【図３】
2019070945.tif 000005
【図４】
2019070945.tif 000006